(57)【要約】      （修正有）【課題】カバー体の本体又は噴射ノズル側への装着が容易であるとともに、カバー体が確実に位置決めされるエアブロー装置を提供する。【解決手段】把持部３を有する本体２と、本体２から噴射側に突設され且つ突出した先端部に噴射口４が形成された噴射ノズル６と、噴射側に向けて漏斗状に広がるカバー体１６とを備え、カバー体１６内に噴射ノズル６の少なくとも一部が収容されるようにカバー体１６を配設した。本体２側又は噴射ノズル６側に周面を有する取付部１７を設け、取付部１７の周面に取付側ネジ部を形成し、カバー体１６の筒状の基端部における取付側ネジ部と接する側の周面に、取付側ネジ部とネジ係合されるカバー側ネジ部を形成した。【選択図】図１
0003185643.tif 000002
【実用新案登録請求の範囲】
【請求項１】
把持部（３）を有する本体（２）と、該本体（２）から噴射側に突設され且つ突出した先端部に噴射口（４）が形成された噴射ノズル（６）と、噴射側に向けて漏斗状に広がるカバー体（１６）とを備え、カバー体（１６）内に噴射ノズル（６）の少なくとも一部が収容されるように該カバー体（１６）を配設したエアブロー装置において、本体（２）側又は噴射ノズル（６）側に周面を有する取付部（１７，３０）を設け、該取付部（１７，３０）の周面に取付側ネジ部（２１）を形成し、前記カバー体（１６）の筒状の基端部（２２）における取付側ネジ部（２１）と接する側の周面に、該取付側ネジ部（２１）とネジ係合されるカバー側ネジ部（２３）を形成したエアブロー装置。
【請求項２】
前記取付部（３０）を本体（２）と一体成形した請求項１に記載のエアブロー装置。
【請求項３】
前記取付部（１７）を本体（２）と別体成形した請求項１に記載のエアブロー装置。
【請求項４】
前記取付部（１７）を、噴射ノズル（６）方向に移動調整可能に支持した請求項３に記載のエアブロー装置。
【請求項５】
前記取付部（１７）を、噴射ノズル（６）の軸回りに回動調整可能に支持した請求項３又は４の何れかに記載のエアブロー装置。
【請求項６】
前記取付部（１７）をペットボトルのキャップとし、キャップに噴射ノズル（６）を挿入させることにより、該キャップを噴射ノズル（６）に支持した請求項３乃至５の何れかに記載のエアブロー装置。
【請求項７】
ペットボトルの飲み口側を切断分離してカバー体（１６）とした請求項６に記載のエアブロー装置。
【請求項８】
取付部（１７，３０）の内周面に上記取付側ネジ部（２１）を形成し、カバー体（１６）の基端部（２２）の外周面に上記カバー側ネジ部（２３）を形成した請求項１乃至７の何れかに記載のエアブロー装置。
【請求項９】
前記カバー体（１６）をドーム状に成形した請求項１乃至８の何れかに記載のエアブロー装置。
【請求項１０】
カバー体（１６）を透明な部材によって形成した請求項１乃至９の何れかに記載のエアブロー装置。
【考案の詳細な説明】
【技術分野】
【０００１】
本考案は、漏斗状に広がるカバー体を備えたエアブロー装置に関する。
【背景技術】
【０００２】
把持部を有する本体と、該本体から噴射側に突設され且つ突出した先端部に噴射口が形成された噴射ノズルと、噴射側に向けて漏斗状に広がるカバー体とを備え、カバー体内に噴射ノズルの少なくとも一部が収容されるように該カバー体を配設し、前記噴射口から対象物側に噴射されるエアによって除去される除去物が作業者側に飛散することを防止できる特許文献１に示すエアブロー装置が従来公知である。
【先行技術文献】
【特許文献】
【０００３】
【特許文献１】実公昭６０−３９３８７号
【考案の概要】
【考案が解決しようとする課題】
【０００４】
しかし、上記文献の第１図に示すエアブロー装置では、カバー体の基端部に付設されたリング状部材の内周側に本体の外周が挿入されるようにして、該カバー体を本体に取付け、該リング状部材を径方向のネジによって本体に固定するため、装着に手間が掛かる他、ネジ止め用の工具も必要である。
また、同文献の第２図に示すエアブロー装置では、上記リング状部材を、噴射ノズルの中途側に配設されたアダプタに外装着させることにより、カバー体を噴射ノズルに装着するものであるが、リング状部材のアダプタへの取付状態及びアダプタの噴射ノズルへの取付状態について記載がなく、取付構造の詳細が不明である。
【０００５】
本考案は、把持部を有する本体から噴射側に突設されて先端側に噴射口が形成された噴射ノズルと、噴射側に向けて漏斗状に広がるカバー体とを備え、カバー体の本体又は噴射ノズル側への装着が容易であるとともに、カバー体が確実に位置決めされるエアブロー装置を提供することを課題とするものである。
【課題を解決するための手段】
【０００６】
上記課題を解決するため本考案は、第１に、把持部３を有する本体２と、該本体２から噴射側に突設され且つ突出した先端部に噴射口４が形成された噴射ノズル６と、噴射側に向けて漏斗状に広がるカバー体１６とを備え、カバー体１６内に噴射ノズル６の少なくとも一部が収容されるように該カバー体１６を配設したエアブロー装置において、本体２側又は噴射ノズル６側に周面を有する取付部１７，３０を設け、該取付部１７，３０の周面に取付側ネジ部２１を形成し、前記カバー体１６の筒状の基端部２２における取付側ネジ部２１と接する側の周面に、該取付側ネジ部２１とネジ係合されるカバー側ネジ部２３を形成したことを特徴としている。
【０００７】
第２に、前記取付部３０を本体２と一体成形したことを特徴としている。
【０００８】
第３に、前記取付部１７を本体２と別体成形したことを特徴としている。
【０００９】
第４に、前記取付部１７を、噴射ノズル６方向に移動調整可能に支持したことを特徴としている。
【００１０】
第５に、前記取付部１７を、噴射ノズル６の軸回りに回動調整可能に支持したことを特徴としている。
【００１１】
第６に、前記取付部１７をペットボトルのキャップとし、キャップに噴射ノズル６を挿入させることにより、該キャップを噴射ノズル６に支持したことを特徴としている。
【００１２】
第７に、ペットボトルの飲み口側を切断分離してカバー体１６としたことを特徴としている。
【００１３】
第８に、取付部１７，３０の内周面に上記取付側ネジ部２１を形成し、カバー体１６の基端部２２の外周面に上記カバー側ネジ部２３を形成したことを特徴としている。
【００１４】
第９に、前記カバー体１６をドーム状に成形したことを特徴としている。
【００１５】
第１０に、カバー体１６を透明な部材によって形成したことを特徴としている。
【考案の効果】
【００１６】
上記構成によれば、カバー体の基端部を回転させてカバー側ネジ部を取付側ネジ部にネジ係合させることにより、ドライバー等の工具を用いることなく、手作業でカバー体を本体又は噴射ノズル側に容易に装着させることができるとともに、該ネジ係合によってカバー体がより確実に位置決めされる。
【００１７】
また、前記取付部を噴射ノズル方向に移動調整可能に支持したものによれば、噴射ノズルの長さや屈曲形状に応じて、除去物を含むエアの遮断に適した位置にカバー体を設置できる。
【００１８】
また、前記取付部を、噴射ノズルの軸回りに回動調整可能に支持したものによれば、カバー体の開口側の位置を調整することができる。
【００１９】
なお、前記取付部を、ペットボトルのキャップとし、キャップに噴射ノズル６を挿入させることにより、該キャップを噴射ノズル６に支持したものによれば、取付部を容易に調達でき且つ低コストにできる。
【００２０】
また、ペットボトルの飲み口側を切断分離してカバー体としたものによれば、カバー体が傷ついたり汚れたりした場合であっても簡易且つ低コストで交換用のカバー体を成形できるとともに、用途に応じて開口部の径の異なるカバー体も容易に作成できる。
【００２１】
また、前記カバー体をドーム状に成形したものによれば、除去物を含んでカバー体の内側に飛んできたエアが、カバー体の形状に沿って案内されて、カバー体の開口部側から比較的に近い場所へ飛ばされるため、除去物が飛散ることを防止できる。
【００２２】
なお、カバー体を透明な部材によって形成したものによれば、噴射口からのエアで噴射対象物側の除去物等の除去作業をする際に、カバー体越しに噴射対象を視認できるため、作業性が向上する。
【図面の簡単な説明】
【００２３】
【図１】カバー体を装着したエアブロー装置を示した全体斜視図である。
【図２】カバー体の着脱態様を示した側面図である。
【図３】取付部の要部拡大図である。
【図４】カバー体の種類を示した図である。
【図５】別実施例におけるカバー体の着脱態様を示した側面図である。
【考案を実施するための形態】
【００２４】
以下、本考案の実施形態を図１乃至４に基づき説明する。図１は、カバー体を装着したエアブロー装置を示した全体斜視図であり、図２は、カバー体の着脱態様を示した側面図であり、図３は、取付部の要部拡大図であり、図４は、カバー体の種類を示した図である。図示した本考案のエアブロー装置は、使用者が把持する把持部３を有する本体２と、先端側にエアが噴射される噴射口４が形成された棒状の噴射ノズル６とを備えて、図示する例では銃型に形成されている。また、該噴射ノズル６には詳しくは後述するカバー部７が設けられている。
【００２５】
前記本体２には、把持部３とともに握られるとともに、前後方向に揺動操作されるように取付けられた引き金状の操作レバー８と、把持部３の上端側に配置されて噴射するエアが供給される第１エア供給部１１と、把持部３の下端側に配置されて噴射するエアが供給される第２エア供給部１２とが形成されている。第１エア供給部１１又は第２エア供給部１２の少なくとも何れか一方側に、図示しないエアコンプレッサ等のエア供給源を接続することにより、噴射ノズル６から噴射される高圧のエアがエアブロー装置の本体２側に供給されるように構成されている。
【００２６】
すなわち、図１に示すように、使用者が把持部３と操作レバー８とを同時に把持し、該状態で握るようにして操作レバー８を把持部３側へ揺動操作することによって、第１エア供給部１１又は第２エア供給部１２が本体２内部側に供給され、この高圧エアが噴射口４から噴出される。使用者は噴出口４から噴射されるエアにより対象物周辺の掃除等ができる。
【００２７】
前記カバー部７は、図１乃至４に示されるように、噴射側に向けて漏斗状に広がるように成形されたカバー体１６と、噴射ノズル６側に設けられて該カバー体１６が着脱自在に取付けられる取付部１７とから構成されている。ちなみに、図示する例においては、前記カバー体１６は、ペットボトルの飲み口側を切断分離することによって成形され、前記取付部１７は、ペットボトルのキャップ（蓋）により成形されたものである。
【００２８】
前記取付部１７は、一方側が開放されたキャップ状に成形された筒状部材であって、他方側である底部１８に前記噴射ノズル６が挿通される取付孔１９が穿設されており、該取付孔１９に噴射ノズル６を挿通することにより取付部１７が噴射ノズル６側に取付けられている。
【００２９】
該取付孔１９は、円形状の底部の中心から偏心させた位置に穿設されるとともに、取付部１７は噴射ノズル６を軸として回転可能な状態で取付孔１９に挿通されている。また、噴射ノズル６が取付孔１９に挿通された状態の取付部１７は、噴射ノズル６の長さ方向の任意の位置に移動調整することができる。
【００３０】
さらに、筒状に形成された前記取付部１７の内周面側には、後述するカバー体１６の基端部２２側がネジ係合される雌ネジ部（取付側ネジ部）２１が形成されている。
【００３１】
前記カバー体１６は、開口先端側である噴射方向に向けて漏斗状に広がるとともに、側面視で開口側に向けて円弧状に屈曲された凹曲面１６ａが形成されることにより、カバー体１６全体でドーム状に成形されている。また、該カバー体１６そのものが透明、又は半透明の部材によって成形されている。
【００３２】
該構成のカバー体１６によれば、前記噴射口４から噴射されるエアを噴射対象物に吹付けることによって、除去物を吹飛ばす際に、作業者側に除去物を含んだエアが跳ね返ることを効率的に防止することができるとともに、カバー体１６が透明又は半透明の部材で成形されることにより、エア噴射時に噴射口４や噴射対象物の周辺の視野が確保されるため、作業性が良くなる。さらに、カバー体１６がドーム状に形成されることにより、カバー体１６の内側に飛んできた除去物を含んだエアが凹曲面１６ａの内周側に沿って案内されて、エアの吹きつけ箇所から必要以上に飛び散らないように構成されている。
【００３３】
また、該カバー体１６の基端部側２２は、キャップ状の前記取付部１７の内周面側にネジ係合される筒状に成形されており、該基端部２２の外周面側には、取付部側の雌ネジ部２１とネジ係合される雄ネジ部（カバー側ネジ部）２３が形成されている。
【００３４】
上述のカバー部７の構成によれば、カバー体１６を筒状の基端部２２側から噴射ノズル６に挿通し、該カバー体１６を回転させつつ、基端部２２側の雄ネジ部２３を、噴射ノズル６側に設けた取付部１７の雌ネジ部２１にネジ係合（螺合）させることにより、カバー体１６を確実に位置決めできる。すなわち、カバー体１６の着脱作業にドライバー等の工具や、固定用のネジ部材等を用いる必要がなく、手作業で容易にカバー体１６の着脱ができるため、カバー体１６や本体２側の掃除等のメンテナンスもし易くなる。
【００３５】
また、前記取付部１７は、前記取付孔１９が円形状の底部１８の中心からずれた位置に穿設されているため、噴射ノズル６を軸として取付部１７を回動させることにより、取付部１７に取付けられたカバー体１６の開口位置を調整することができる。さらに、噴射ノズル６の長さ方向における取付部１７の位置を変更することにより、カバー体１６の長さや形状、噴射ノズル６の長さが異なる場合であっても、カバー体１６をエアの遮断に適切な位置に調整できるため汎用性も高い。
【００３６】
さらに、前記取付部１７は、ペットボトルのキャップ（蓋）に取付孔１９を穿設して成形し、前記カバー体１６は、ペットボトルの飲み口側を切断分離して成形することにより、取付部１７及びカバー体１６を使用済みのペットボトルから作成することができるため、各部材１６，１７を成形するための装置も必要なく、材料の調達が容易で且つコストを低く抑えることができる。また、図４に示すように、５００ｍｌ〜２ｌの各種ペットボトルからカバー体１６を作成することによって、大きさや長さや形状の異なるカバー体１６を容易に作成することができるとともに、作成された複数種類のカバー体１６が必ずペットボトルのキャップから作成した取付部１７の雌ネジ部２１と係合するため、汎用性も高い。
【００３７】
すなわち、特に噴射口４からのエア噴射により噴射対象物周辺の除去物の掃除を繰返して、該除去物によって前記カバー体１６が傷ついたり汚れたりしてカバー体１６越しの視認性が悪化した場合であっても、容易且つ安価に新しいカバー体１６に交換できるため、作業性及びメンテナンス性が良好である。
【００３８】
次に、上記カバー部７の別実施例について、上述の例と異なる点を説明する。
前記カバー部７は、取付部１７の外周面側に雄ネジ部を形成し、筒状に形成されたカバー体１６の基端部２２の内周面側に雌ネジ部を形成することにより、取付部１７が筒状の基端部２２内に収容されるようにしてネジ係合される構成であっても良い。
【００３９】
また、前記取付部１７の取付孔１９を、噴射ノズル６が突設された本体２側に嵌合固定されるように形成しても良い。該構成によれば、カバー体１６を本体２側に取付けることもできる。
【００４０】
次に、図５に基づき、本発明の別実施例について、上述の構成と異なる点を説明する。図５は、別実施例におけるカバー体の着脱態様を示した側面図である。図より、カバー体１６がネジ係合される取付部３０を、噴射ノズル６が突設された本体２側に一体成形、若しくは固着させた構成としても良い。
【００４１】
該構成によれば、部品点数が削減されるとともに、取付部３０に着脱自在なカバー体１６の支持がより安定するようになる。
【符号の説明】
【００４２】
２    本体
３    把持部
４    噴射口
６    噴射ノズル
１６    カバー体
１７    取付部
２１    雌ネジ部（取付側ネジ部）
２２    基端部
２３    雄ネジ部（カバー側ネジ部）
【図１】
0003185643.tif 000003
【図２】
0003185643.tif 000004
【図３】
0003185643.tif 000005
【図４】
0003185643.tif 000006
【図５】
0003185643.tif 000007